(57)【要約】【課題】便器洗浄中に停電になっても便器洗浄を完了して汚物等の排出を確実に行うことができる。【解決手段】便器洗浄装置２０は、洗浄水を便器本体１０に送水する電気駆動式のポンプ２３と、このポンプ２３に電力を供給する給電路２４を有した電源装置２５とを備えている。電源装置２５は給電路２４に直列的に接続したリチウムイオン二次電池２８を有している。【選択図】図１
2013040490.tif 000002
【特許請求の範囲】
【請求項１】
洗浄水を便器本体に送水する電気駆動式の送水装置と、この送水装置に電力を供給する給電路を有した電源装置とを備えた便器洗浄装置であって、
前記電源装置は前記給電路に直列的に接続した蓄電装置を有していることを特徴とする便器洗浄装置。
【請求項２】
前記蓄電装置は前記送水装置が１回の便器洗浄を実行することができる電力を蓄電することを特徴とする請求項１記載の便器洗浄装置。
【請求項３】
前記電源装置は前記給電路を分岐して前記便器本体に設けた便器洗浄以外に利用する電気機器に電力を供給する分岐給電路を有しており、停電になった際、この電源装置は前記分岐給電路への電力供給を停止し、前記給電路へのみ前記蓄電装置に蓄電した電力を供給することを特徴とする請求項１又は２記載の便器洗浄装置。
【発明の詳細な説明】
【技術分野】
【０００１】
本発明は便器洗浄装置に関する。
【背景技術】
【０００２】
特許文献１は従来の便器洗浄装置を開示している。この便器洗浄装置は、洗浄水を貯留する洗浄タンクと、この洗浄タンクに貯留した洗浄水を便器本体に送水する加圧ポンプとを備えている。この便器洗浄装置は、加圧ポンプの動作中に停電になると、その回転部の慣性力による回転によって、便器本体の封水部を水封するために必要な水量を便器本体に送水することができる。
【０００３】
このため、この便器洗浄装置は、加圧ポンプを動作させて便器洗浄を実行している途中で停電になっても、便器本体の封水部を水封することができるため、封水部より下流側から便鉢部側に臭気が逆流することを防止することができる。
【先行技術文献】
【特許文献】
【０００４】
【特許文献１】特開２００８−１７４９４４号公報
【発明の概要】
【発明が解決しようとする課題】
【０００５】
しかし、特許文献１の便器洗浄装置では、便器洗浄中に停電になると、その後に便器本体に供給される洗浄水は便器本体の封水部を水封するためのものであり、通常の便器洗浄を実行するための洗浄水の供給ではなくなる。このため、便器洗浄が完全に実行されず、汚物等の排出が不充分になるおそれがある。
【０００６】
本発明は、上記従来の実情に鑑みてなされたものであって、便器洗浄中に停電になっても便器洗浄を完了して汚物等の排出を確実に行うことができる便器洗浄装置を提供することを解決すべき課題としている。
【課題を解決するための手段】
【０００７】
本発明の便器洗浄装置は、洗浄水を便器本体に送水する電気駆動式の送水装置と、この送水装置に電力を供給する給電路を有した電源装置とを備えた便器洗浄装置であって、
前記電源装置は前記給電路に直列的に接続した蓄電装置を有していることを特徴とする。
【０００８】
この便器洗浄装置では、給電路に直列的に接続した蓄電装置を介して送水装置に電力を供給しているため、蓄電装置は常に満充電の状態を維持することができる。このため、送水装置が洗浄水を便器本体に送水して便器洗浄を実行している途中で停電になっても、蓄電装置から送水装置に電力を確実に供給することができるため、便器洗浄装置は通常と同様の便器洗浄を完了することができる。
【０００９】
したがって、本発明の便器洗浄装置は便器洗浄中に停電になっても便器洗浄を完了して汚物等の排出を確実に行うことができる。
【００１０】
前記蓄電装置は前記送水装置が１回の便器洗浄を実行することができる電力を蓄電し得る。便器洗浄装置は、便器洗浄を実行している途中で停電になった際に、通常と同様の便器洗浄を完了することができる電力を蓄電すれば良いため、その蓄電量は多くても１回の便器洗浄を実行することができれば充分である。このように、蓄電装置の容量を必要最低限にすることによって、蓄電装置の小型化を図ることができる。
【００１１】
前記電源装置は前記給電路を分岐して前記便器本体に設けた便器洗浄以外に利用する電気機器に電力を供給する分岐給電路を有しており、停電になった際、この電源装置は前記分岐給電路への電力供給を停止し、前記給電路へのみ前記蓄電装置に蓄電した電力を供給し得る。この場合、停電になった際、分岐給電路への電力供給を停止するため、蓄電装置に蓄電した電力が便器洗浄装置以外に利用されない。つまり、蓄電装置は、蓄電した電力が送水装置以外の電気機器で消費されないため、停電時に便器洗浄を完了するための電力を確実に確保することができ、送水装置を通常の便器洗浄と同様に駆動することができる。
【図面の簡単な説明】
【００１２】
【図１】実施例１の水洗式便器を示す構成図である。
【図２】実施例１の電源装置等の要部を示すブロック図である。
【図３】実施例２の水洗式便器を示す構成図である。
【発明を実施するための形態】
【００１３】
本発明の便器洗浄装置を備えた水洗式便器を具体化した実施例１及び２を図面を参照しつつ説明する。
【００１４】
＜実施例１＞
実施例１の水洗式便器は、図１に示すように、便器本体１０と便器洗浄装置２０とを備えている。便器本体１０は、便鉢部１１と、この便鉢部１１の下流側に連通する便器排水路１２とを有している。また、便器本体１０は上面に便座装置１３を取り付けている。便座装置１３は、便器本体１０の上面後部に取り付けた便座ボックス１４と、便座ボックス１４に回動自在に取り付けられた便蓋１５及び便座１６とを有している。便座装置１３は、便座ボックス１４内に局部洗浄装置１７Ａ、脱臭装置１７Ｂ等の電気機器１７と、それらを制御する制御装置１８とを収納している。
【００１５】
便器洗浄装置２０は、洗浄水を貯留する洗浄タンク２１と、洗浄タンク２１と便器本体１０とを連通する給水路２２と、給水路２２を介して洗浄タンク２１に貯留した洗浄水を便器本体１０に送水する電気駆動式の送水装置であるポンプ２３と、ポンプ２３に電力を供給する給電路２４を有した電源装置２５とを備えている。
【００１６】
洗浄タンク２１は便器本体１０の背後に設置している。このため、水洗式便器はローシルエットを実現することができる。洗浄タンク２１は側面下部に給水路２２の上流端を接続している。給水路２２は下流端を便器本体１０の便鉢部１１の後部に接続している。給水路２２の下流端から吐水された洗浄水は便鉢部１１の上部周縁に設けられたリム通水路に沿って一方向に流れながら便鉢部１１の表面に流れ落ちる。このため、洗浄水は便鉢部１１の表面を旋回しながら便器排水路１２に流れ込む旋回流を形成する。
【００１７】
ポンプ２３は給水路２２の途中に設けられている。電源装置２５とポンプ２３との間の給電路２４にポンプ用制御装置２６が配置されている。ポンプ用制御装置２６は、ポンプ２３の運転開始及び停止、回転数の変更を制御することができる。このため、便器洗浄装置２０は便器本体１０に送水する洗浄水の水量及び流量（一定時間の送水量）を変化させることができる。よって、便器洗浄装置２０は、ポンプ２３の回転数を高くして大流量の洗浄水を設定時間の間、便器本体１０に送水することによって洗浄水量の多い大洗浄モードを実行することができる。また、便器洗浄装置２０は、大洗浄モードよりもポンプ２３の回転数を小さくして小流量の洗浄水を大洗浄モードよりも短い時間の間、便器本体１０に送水することによって洗浄水量の少ない小洗浄モードを実行することができる。このように、便器洗浄装置２０は、大洗浄モード、小洗浄モードの少なくとも２種類の便器洗浄を実行することができる。
【００１８】
電源装置２５は、図１及び図２に示すように、給電路２４の一部である電源コンセント２７Ａを先端に有する電源コード２７に繋がった蓄電装置であるリチウムイオン二次電池２８と、リチウムイオン二次電池２８に繋がった分電器２９とを有している。給電路２４は、上述したように、電源装置２５の分電器２９からポンプ用制御装置２６を介してポンプ２３に繋がっている。このように、ポンプ２３に電力を供給する給電路２４（電源コンセント２７Ａからポンプ２３までの間の給電路２４）には、リチウムイオン二次電池２８、分電器２９、ポンプ用制御装置２６が直列的に配置されている。リチウムイオン二次電池２８は、ポンプ２３が大洗浄モードで１回の便器洗浄を実行することができる電力を蓄電することができる。
【００１９】
分電器２９は、局部洗浄装置１７Ａ、脱臭装置１７Ｂ等の電気機器１７を制御する制御装置１８を介してこれら電気機器１７に電力を供給する分岐給電路２９Ａが繋がっている。また、分電器２９は、図２に示すように、停電を検知し、分岐給電路２９Ａを通電状態から非通電状態に切り替える制御装置２９Ｂを有している。このため、分電器２９は、停電になった際、分岐給電路２９Ａへの電力供給を停止し、給電路２４へのみリチウムイオン二次電池２８に蓄電した電力を供給する。
【００２０】
このような構成を有する水洗式便器では、電源装置２５のリチウムイオン二次電池２８を給電路２４に直列的に接続しているため、リチウムイオン二次電池２８は常に満充電の状態を維持することができる。このため、便器洗浄装置２０が便器洗浄を実行している途中で停電になっても、リチウムイオン二次電池２８からポンプ２３に電力を確実に供給することができるため、便器洗浄装置２０は通常と同様の便器洗浄を完了することができる。
【００２１】
したがって、実施例１の便器洗浄装置２０を備えた水洗式便器は便器洗浄中に停電になっても便器洗浄を完了して汚物等の排出を確実に行うことができる。
【００２２】
また、リチウムイオン二次電池２８は、便器洗浄を実行している途中で停電になっても確実に便器洗浄を完了することができる必要最低限の電力、つまり、大洗浄モードで１回の便器洗浄を実行するだけの電力を蓄電するだけでよいため、小型化を図ることができる。
【００２３】
さらに、停電になった際、分岐給電路２９Ａへの電力供給を停止するため、リチウムイオン二次電池２８に蓄電した電力はポンプ２３の駆動（便器洗浄）以外に利用されない。つまり、リチウムイオン二次電池２８に蓄電した電力が局部洗浄装置１７Ｂ等の便器洗浄以外に利用する電気機器１７で消費されないため、停電時に便器洗浄を完了するための電力を確実に確保することができ、ポンプ２３を通常の便器洗浄と同様に駆動することができる。
【００２４】
＜実施例２＞
実施例２の水洗式便器は、図３に示すように、便器洗浄装置３０が洗浄タンクを有していない点、送水装置３１が給水源の給水圧力を利用して直接的に便器本体１０に洗浄水を送水するものである点、及び便器洗浄装置３０が便鉢部１１の上部周縁に設けられたリム通水路に沿って洗浄水を吐水するリム給水路３２Ａと、便器排水路１２に沿って下流側に向けて洗浄水を吐水するジェット給水路３２Ｂとを有している点で実施例１と相違する。実施例１と同様の構成は同一の符号を付し詳細な説明を省略する。
【００２５】
便器洗浄装置３０の送水装置３１は上流側を給水ホース３３に連通している。給水ホース３３は便器本体１０を設置したトイレルーム内に引き出された給水源に連通した図示しない給水管に上流端部を接続している。
【００２６】
送水装置３１は、止水栓３４、リム用開閉弁３５Ａ、及びジェット用開閉弁３５Ｂを有している。止水栓３４は給水ホース３３の下流端が接続した上流側給水路３５Ｃに設けられている。上流側給水路３５Ｃは下流端部でリム給水路３２Ａとジェット給水路３２Ｂに分岐している。リム用開閉弁３５Ａはリム給水路３２Ａに設けられている。ジェット用開閉弁３５Ｂはジェット給水路３２Ｂに設けられている。
【００２７】
リム給水路３２Ａは下流端を便器本体１０の便鉢部１１の後部に接続している。リム給水路３２Ａの下流端から吐水された洗浄水は便鉢部１１の上部周縁に設けられたリム通水路に沿って一方向に流れながら便鉢部１１の表面に流れ落ちる。このため、洗浄水は便鉢部１１の表面を旋回しながら便器排水路１２に流れ込む旋回流を形成する。
【００２８】
ジェット給水路３２Ｂは便器本体１０の便鉢部１１の下部に接続している。ジェット給水路３２Ｂの下流端から吐水された洗浄水は便器排水路１２に沿って下流側に向けて流れる。便器排水路１２にジェット給水路３２Ｂから直接的に洗浄水が供給されるため、便器排水路１２内にサイホン作用を効率的に発生させることができる。
【００２９】
電源装置２５は、リム用開閉弁３５Ａ、及びジェット用開閉弁３５Ｂに電力を供給する給電路２４を有している。電源装置２５と、リム用開閉弁３５Ａ及びジェット用開閉弁３５Ｂとの間の給電路２４に開閉弁用制御装置２６Ａが配置されている。開閉弁用制御装置２６Ａは、リム用開閉弁３５Ａ及びジェット用開閉弁３５Ｂの開閉を制御することができる。このため、便器洗浄装置３０は、先ず、リム用開閉弁３５Ａを開弁してリム給水路３２Ａを介してリム通水路に洗浄水を吐水するリム洗浄を実行し、その後にリム用開閉弁３５Ａを閉弁するとともにジェット用開閉弁３５Ｂを開弁してジェット給水路３２Ｂを介して便器排水路１２に洗浄水を吐水するジェット洗浄を実行し、その後にジェット用開閉弁３５Ｂを閉弁するとともに再度リム用開閉弁３５Ａを設定時間の間、開弁して、リム洗浄を実行するという便器洗浄を実行することができる。また、便器洗浄装置３０は、リム洗浄時間及びジェット洗浄時間を変更して、洗浄水量の多い大洗浄モード、及び洗浄水量の少ない小洗浄モードを実行することができる。このように、便器洗浄装置３０は、大洗浄モード、小洗浄モードの少なくとも２種類の便器洗浄を実行することができる。
【００３０】
電源装置２５のリチウムイオン二次電池２８は送水装置３１のリム用開閉弁３５Ａ及びジェット用開閉弁３５Ｂを開閉駆動して、１回の便器洗浄、つまり、リム洗浄、ジェット洗浄、及びリム洗浄の順に実行するだけの電力を蓄電することができる。このように、便器洗浄を実行している途中で停電になっても確実に便器洗浄を完了することができる必要最低限の電力、つまり、１回の便器洗浄を実行するだけの電力を蓄電するだけで良いため、リチウムイオン二次電池２８は小型化を図ることができる。
【００３１】
このような構成を有する水洗式便器では、電源装置２５のリチウムイオン二次電池２８を給電路２４に直列的に接続しているため、リチウムイオン二次電池２８は常に満充電の状態を維持することができる。このため、便器洗浄装置３０が便器洗浄を実行している途中で停電になっても、リチウムイオン二次電池２８からリム用開閉弁３５Ａ及びジェット用開閉弁３５Ｂに電力を確実に供給することができるため、便器洗浄装置３０は通常と同様の便器洗浄を完了することができる。
【００３２】
したがって、実施例２の便器洗浄装置３０を備えた水洗式便器も便器洗浄中に停電になっても便器洗浄を完了して汚物等の排出を確実に行うことができる。
【００３３】
本発明は上記記述及び図面によって説明した実施例に限定されるものではなく、例えば次のような実施例も本発明の技術的範囲に含まれる。
（１）実施例１及び２では、蓄電装置をリチウムイオン二次電池にしたが、大容量コンデンサー等の他の蓄電装置を利用してもよい。
（２）実施例１及び２では、リチウムイオン二次電池に１回の便器洗浄を実行することができる電力を蓄電したが、便器洗浄を複数回できる電力を蓄電してもよい。
（３）実施例１及び２では、水洗式便器が、局部洗浄装置、脱臭装置等の便器洗浄以外に利用する電気装置を備えていたが、これら電気装置を備えていない水洗式便器であってもよい。
【符号の説明】
【００３４】
１０…便器本体
１７…電気機器
２０、３０…便器洗浄装置
２３…ポンプ（送水装置）
２４…給電路
２５…電源装置
２８…リチウムイオン二次電池（蓄電装置）
２９Ａ…分岐給電路
３１…送水装置
【図１】
2013040490.tif 000003
【図２】
2013040490.tif 000004
【図３】
2013040490.tif 000005